(57)【要約】【課題】接触されたときに対応するページが表示される画像であってそのページの部分を示す部分画像の大きさを、装置の姿勢に応じて変更する。【解決手段】取得部１１１は、タッチスクリーン部の検出部１３２が検出した接触点を示す接触点情報と測定部１４が測定した姿勢を示す姿勢情報を取得する。解釈部１１２は、取得部１１１が取得した各情報に基づいてユーザの操作内容を解釈する。選択部１１３は、解釈部１１２によって解釈された結果に基づいて文書中の選択ページを選択し、記憶部１２から選択ページの内容を読み出す。決定部１１４は、上述した解釈の結果と選択ページの内容とに基づいて表示面に表示する画像のレイアウトを決定する。表示制御部１１５は、決定部１１４が決定したレイアウトに基づいて表示部１３１を制御し、選択ページを選択ページ領域に表示させるとともに選択ページ以外のページの部分を示す部分画像を小口領域に表示させる。【選択図】図４
2014013487.tif 000002
【特許請求の範囲】
【請求項１】
画像を表示する表示面を有する表示部と、
それぞれに順序が割り当てられた複数のページのうち、選択された１つのページを選択ページとして前記表示面に含まれる第１領域に表示させるとともに、前記第１領域と異なる第２領域に、前記選択ページ以外のページの部分を示す部分画像を表示させる表示制御部と、
自装置の姿勢を示す情報を取得する第１取得部と、
前記第１取得部により取得された情報が示す姿勢に応じて、前記表示部に表示させる各部分画像の大きさを決定する決定部と、
ユーザが前記表示面に対して接触した位置を示す情報を取得する第２取得部と、
前記第２取得部により取得された情報が示す位置が前記第２領域内に有る場合に、当該位置に重なる部分画像に対応付けられたページを前記選択ページとして選択する選択部と
を具備することを特徴とする表示装置。
【請求項２】
前記選択部は、前記第１取得部により取得された情報が示す姿勢に基づいて、自装置の加速度を求め、当該加速度が閾値以上である場合に、当該加速度に応じて予め決められたページを前記選択ページとして選択する
ことを特徴とする請求項１に記載の表示装置。
【請求項３】
画像を表示する表示面を有する表示部を具備する表示装置のコンピュータを、
それぞれに順序が割り当てられた複数のページのうち、選択された１つのページを選択ページとして前記表示面に含まれる第１領域に表示させるとともに、前記第１領域と異なる第２領域に、前記選択ページ以外のページの部分を示す部分画像を表示させる表示制御部と、
自装置の姿勢を示す情報を取得する第１取得部と、
前記第１取得部により取得された情報が示す姿勢に応じて、前記表示部に表示させる各部分画像の大きさを決定する決定部と、
ユーザが前記表示面に対して接触した位置を示す情報を取得する第２取得部と、
前記第２取得部により取得された情報が示す位置が前記第２領域内に有る場合に、当該位置に重なる部分画像に対応付けられたページを前記選択ページとして選択する選択部
として機能させるためのプログラム。
【発明の詳細な説明】
【技術分野】
【０００１】
本発明は、表示装置およびプログラムに関する。
【背景技術】
【０００２】
特許文献１には、前面と後面にポインティングデバイスを有する座標入力手段を備え、前面のポインティングデバイスに指を接触させてずらし、後面のポインティングデバイスに他の指を接触させてずらすことによって、重なって表示されている複数のオブジェクトをずらして表示する情報入力装置が記載されている。
特許文献２には、第１表示装置と第２表示装置とを有し、少なくとも第１表示装置にタッチパネルを備えた電子情報表示装置であって、タッチパネルへのタッチ入力に基づいて、第１記憶装置に記憶されている情報の選択、選択された情報を第１表示装置および第２表示装置のどちらに表示するかの選択、および、表示する順番の選択を受け付けて、それらの情報を第１表示装置および第２表示装置に表示させる電子情報表示装置が記載されている。
特許文献３には、表示装置により制御される画面が、資料の一部の内容を表す表紙ファイルに関連付けられるリンク領域と、ポインタがリンク領域内に表示されるとき、リンク領域に関連付けられる表紙ファイルを表示する表示領域と、少なくとも１つのリンク領域を含む制御領域とを備え、操作装置により表示位置を移動するポインタにより表示領域が指定されると、表示領域に表示されている表紙ファイルに関連付けられる資料が資料表示領域に表示される電子ファイリングシステムの電子ファイル表示方法が記載されている。
【先行技術文献】
【特許文献】
【０００３】
【特許文献１】特開２０００−２９３２８０号公報
【特許文献２】特開２００８−２１７６４７号公報
【特許文献３】特開２００５−１６５９８６号公報
【発明の概要】
【発明が解決しようとする課題】
【０００４】
本発明は、接触されたときに対応するページが表示される画像であってそのページの部分を示す部分画像の大きさを、装置の姿勢に応じて変更することを目的とする。
【課題を解決するための手段】
【０００５】
本発明の請求項１に係る表示装置は、画像を表示する表示面を有する表示部と、それぞれに順序が割り当てられた複数のページのうち、選択された１つのページを選択ページとして前記表示面に含まれる第１領域に表示させるとともに、前記第１領域と異なる第２領域に、前記選択ページ以外のページの部分を示す部分画像を表示させる表示制御部と、自装置の姿勢を示す情報を取得する第１取得部と、前記第１取得部により取得された情報が示す姿勢に応じて、前記表示部に表示させる各部分画像の大きさを決定する決定部と、ユーザが前記表示面に対して接触した位置を示す情報を取得する第２取得部と、前記第２取得部により取得された情報が示す位置が前記第２領域内に有る場合に、当該位置に重なる部分画像に対応付けられたページを前記選択ページとして選択する選択部とを具備することを特徴とする。
【０００６】
本発明の請求項２に係る表示装置は、請求項１に記載の態様において、前記選択部は、前記第１取得部により取得された情報が示す姿勢に基づいて、自装置の加速度を求め、当該加速度が閾値以上である場合に、当該加速度に応じて予め決められたページを前記選択ページとして選択することを特徴とする。
【０００７】
本発明の請求項３に係るプログラムは、画像を表示する表示面を有する表示部を具備する表示装置のコンピュータを、それぞれに順序が割り当てられた複数のページのうち、選択された１つのページを選択ページとして前記表示面に含まれる第１領域に表示させるとともに、前記第１領域と異なる第２領域に、前記選択ページ以外のページの部分を示す部分画像を表示させる表示制御部と、自装置の姿勢を示す情報を取得する第１取得部と、
前記第１取得部により取得された情報が示す姿勢に応じて、前記表示部に表示させる各部分画像の大きさを決定する決定部と、ユーザが前記表示面に対して接触した位置を示す情報を取得する第２取得部と、前記第２取得部により取得された情報が示す位置が前記第２領域内に有る場合に、当該位置に重なる部分画像に対応付けられたページを前記選択ページとして選択する選択部として機能させるためのプログラムである。
【発明の効果】
【０００８】
請求項１、３に係る発明によれば、接触されたときに対応するページが表示される画像であってそのページの部分を示す部分画像の大きさを、装置の姿勢に応じて変更することができる。
請求項２に係る発明によれば、予め決められたページを装置の姿勢に応じて選択することできる。
【図面の簡単な説明】
【０００９】
【図１】本発明の一実施形態である表示装置の外観上の構成を示す図である。
【図２】表示装置のハードウェア構成を示すブロック図である。
【図３】表示面に文書が表示された状態の一例を示す図である。
【図４】表示装置の制御部の機能的構成を示す図である。
【図５】表示装置の動作の流れを示すフロー図である。
【図６】接触点に基づいて選択ページが選択される様子を説明するための図である。
【図７】表示装置を傾けた状態の一例を示す図である。
【図８】加速度が閾値以上であるときに表示面に表示される文書の一例を示す図である。
【図９】部分画像の幅が変わる様子を説明するための図である。
【図１０】変形例における指定ページの選択処理を説明するための図である。
【図１１】変形例において部分画像の幅が変わる様子を説明するための図である。
【図１２】変形例における部分画像の形状の一例を示す図である。
【図１３】変形例における小口領域の一例を示す図である。
【図１４】変形例において選択ページ領域の大きさが変わる様子を説明するための図である。
【発明を実施するための形態】
【００１０】
１．実施形態
図１は、本発明の一実施形態である表示装置１の外観上の構成を示す図である。表示装置１は、表示面１０を備える電子機器である。表示面１０は、画像を表示する面であり、かつ、ユーザの指による操作を受け付ける面である。表示面１０は、ここでは縦長の長方形であるとする。なお、表示面１０は、裸眼立体視などの方法により画像を立体的に知覚させるものであってもよい。
【００１１】
本明細書および図面において、表示装置１の各構成の配置を説明するため、各構成が配置される空間をｘｙｚ右手系座標空間として表す。また、図に示す座標記号のうち、内側が白い円の中に黒い円を描いた記号は、紙面奥側から手前側に向かう矢印を表している。また、内側が白い円の中に交差する２本の線分を描いた記号は、紙面手前側から奥側に向かう矢印を表している。空間においてｘ軸に沿う方向をｘ軸方向という。また、ｘ軸方向のうち、ｘ成分が増加する方向を＋ｘ方向といい、ｘ成分が減少する方向を−ｘ方向という。また、ｙ、ｚ成分についても、ｙ軸方向、＋ｙ方向、−ｙ方向、ｚ軸方向、＋ｚ方向、−ｚ方向を定義する。また、後述するξηζ右手系座標空間についても、各軸の方向を定義する。なお、−ｚ方向は、下向きの方向、すなわち、物体に重力がかかる方向であり、特に説明が無い場合、表示装置１は、表示面１０が＋ｚ方向に向き、かつ、その横方向がｘ軸に、縦方向がｙ軸にそれぞれ平行になるように配置される。以下、この配置を基本配置という。
【００１２】
表示装置１は、ユーザが表示面１０に対して指で操作を行える程度のサイズであり、例えば、携帯電話機（スマートフォンを含む）、タブレットＰＣ（Personal Computer）またはスレートＰＣ、ＰＤＡ（Personal Digital Assistant）である。表示装置１は、ユーザがこれを手に持って操作する程度のサイズであってもよいが、机の上に置いたりホルダに取り付けたりして操作するものであってもよい。なお、表示装置１は、必ずしも平板状でなくてもよい。
【００１３】
図２は、表示装置１のハードウェア構成を示すブロック図である。表示装置１は、制御部１１と、記憶部１２と、タッチスクリーン部１３と、測定部１４と、通信部１５とを備える。なお、表示装置１は、図２に示した構成のほかに、スピーカやマイクロホン（またはその入出力部）、カメラ（ビデオカメラを含む）、バイブレータなどを備えてもよい。
【００１４】
制御部１１は、表示装置１の各部の動作を制御する手段である。制御部１１は、ＣＰＵ（Central Processing Unit）などの演算処理装置や、ＲＯＭ（Read Only Memory）、ＲＡＭ（Random Access Memory）などの記憶装置を備え、ＲＯＭまたは記憶部１２に記憶されたプログラムを実行することによって本発明に係るＧＵＩ（Graphical User Interface）を実現する。
【００１５】
記憶部１２は、データを記憶する手段である。記憶部１２は、例えば、ハードディスク、フラッシュメモリなどの記録媒体を備え、制御部１１が使用するデータを記憶する。記憶部１２は、いわゆるリムーバブルディスク、すなわち着脱可能な記録媒体を含んでもよい。記憶部１２は、制御部１１が実行するプログラムや、表示面１０に表示される文書を表す文書データを記憶する。ここで文書とは、それぞれに順序が割り当てられた複数のページによって構成され、各ページの領域に配置された文字、画像、またはこれらの組み合わせにより情報を表現するものである。文書は、表示装置１により画像として表示される。そして、文書データとは、文書を表すデータであって、機械により記憶され、読み出されるデータである。記憶部１２は、同一のユーザが複数の表示装置１を利用したり、あるいは複数のユーザが同一の表示装置１を利用したりする場合には、各ユーザを識別するための識別情報を記憶していてもよい。
【００１６】
タッチスクリーン部１３は、画像を表示する手段であり、かつ、ユーザの操作を受け付ける手段である。タッチスクリーン部１３は、より詳細には、表示面１０に画像を表示する表示部１３１と、ユーザの指などが接触した位置を検出して表示面１０に対するユーザの操作を受け付ける検出部１３２とを含んで構成される。
【００１７】
表示部１３１は、液晶素子や有機ＥＬ（electroluminescence）素子により画像を表示する表示パネルと、この表示パネルを駆動する駆動回路などを備え、制御部１１から供給されるデータに応じた画像を表示面１０に表示させる。検出部１３２は、表示面１０に対する指の接触を検出するセンサを備え、指の接触を検出した位置（以下「接触点」という）を示す接触点情報を制御部１１に供給する。検出部１３２は、複数の接触点を同時に検出するいわゆるマルチタッチに対応していてもよい。
【００１８】
測定部１４は、表示装置１の姿勢を測定する装置である。測定部１４は、例えば３軸の加速度センサを含み、表示装置１に定められた座標系の各座標軸に沿った加速度をそれぞれ測定する。そして、測定部１４は、測定した加速度に基づいて表示装置１が重力方向に対して成す角度を求め、表示装置１の姿勢を示す姿勢情報を出力する。
【００１９】
通信部１５は、データを送受信する手段である。通信部１５は、移動体通信網、インターネットなどの通信回線に接続するインタフェースであってもよいが、ＮＦＣ（Near Field Communication）による無線通信のように、他の電子機器と通信回線を介さずに接続するものであってもよい。
【００２０】
表示装置１の制御部１１は、上述したプログラムを実行することにより、記憶部１２から読み出した文書データに基づいて、表示面１０に文書を表示する。図３は、表示面１０に文書が表示された状態の一例を示す図である。図３（ａ）に示す通り、文書は表示面１０の一部の領域に表示される。この領域を文書領域Ｒ０という。
【００２１】
なお、文書領域Ｒ０は、表示面１０の全ての領域であってもよい。図３（ｂ）に示す通り、文書領域Ｒ０は、文書のうち選択された１つのページ（以下、選択ページという）の内容を表示する選択ページ領域Ｒ１と、文書に含まれる選択ページ以外の各ページにおける小口側の部分を表現する小口領域Ｒ２とを含む。ここで一般に「小口」とは、本の部分の名をいい、製本において、本の背を除いた三方の断ち口を意味するが、本願発明における「小口」とは、これを電子化された文書に当てはめたものを意味する。すなわち、本願発明における「小口」は、電子化された文書において、この文書を構成する複数のページの辺が集まって見える部分である。なお、本願発明において文書は、背を有する本に限られず、背を有しないで複数のページが積み重ねられた書類として表現されてもよい。
【００２２】
図３（ｂ）に示す例では、各ページの右側の辺を含む長方形の領域が、それぞれの小口側の部分として表現されている。各ページの小口側の部分としてそれぞれ表現された画像を、以下、部分画像という。
【００２３】
図４は、表示装置１の制御部１１の機能的構成を示す図である。制御部１１は、上述したプログラムを実行することにより、取得部１１１、解釈部１１２、選択部１１３、決定部１１４、および表示制御部１１５として機能する。取得部１１１は、タッチスクリーン部１３の検出部１３２が検出した接触点を示す接触点情報を取得する。また、取得部１１１は、測定部１４が測定した姿勢を示す姿勢情報を取得する。
【００２４】
解釈部１１２は、取得部１１１が取得した各情報に基づいて、ユーザの操作内容を解釈する。選択部１１３は、解釈部１１２によって解釈された結果に基づいて、文書中の選択ページを選択し、記憶部１２から選択ページの内容を読み出す。決定部１１４は、上述した解釈の結果と、選択ページの内容とに基づいて、表示面１０に表示する画像のレイアウトを決定する。表示制御部１１５は、決定部１１４が決定したレイアウトに基づいて表示部１３１を制御し、選択ページを選択ページ領域Ｒ１に表示させるとともに、選択ページ以外のページにおける小口側の部分を示す部分画像を小口領域Ｒ２に表示させる。
【００２５】
図５は、表示装置１の動作の流れを示すフロー図である。表示装置１の制御部１１は、検出部１３２から接触点情報を取得し（ステップＳ１０１）、接触点情報により示される接触点が小口領域Ｒ２内に有るか否かを判定する（ステップＳ１０２）。接触点が小口領域Ｒ２内に有る、と判定した場合（ステップＳ１０２；ＹＥＳ）、制御部１１は、ユーザの操作に応じたページの選択を行う（ステップＳ１０３）。ここでは、文書に含まれるページの中から、上述の接触点に重なる部分画像に対応付けられたページを選択ページとして選択する。そして、制御部１１は、タッチスクリーン部１３の表示部１３１により、文書を表示面１０に表示する（ステップＳ１０８）。
【００２６】
図６は、接触点に基づいて選択ページが選択される様子を説明するための図である。図６に示す文書は、６ページで構成されている。図６（ａ）に示す文書は選択ページとして１ページ目が選択されている。したがって、選択ページ領域Ｒ１には、文書を構成する複数のページのうち、１ページ目の内容が表示され、小口領域Ｒ２には、２ページ目から６ページ目までの部分画像が表示されている。
【００２７】
ここで、図６（ａ）に×印で示す接触点ｆ１にユーザの指が接触したとすると、制御部１１は、接触点ｆ１が小口領域Ｒ２に有ると判断し、接触点ｆ１に重なる部分画像に対応付けられたページを選択ページとして選択する。接触点ｆ１は、４ページ目の小口側の部分を表す部分画像に含まれているので、制御部１１は、４ページ目を選択ページとして選択する。その結果、表示面１０には、図６（ｂ）に示す文書が表示される。すなわち、選択ページ領域Ｒ１には、文書を構成する複数のページのうち、４ページ目の内容が表示される。また、小口領域Ｒ２は、選択ページ領域Ｒ１の左右両側に分割され、左側の小口領域Ｒ２には１ページ目から３ページ目までの部分画像が、右側の小口領域Ｒ２には５ページ目から６ページ目までの部分画像が、それぞれ表示される。
【００２８】
なお、左側の小口領域Ｒ２に表示される部分画像は、各ページの左側の辺を含む長方形の領域を表している。図６（ｂ）に×印で示す接触点ｆ２にユーザの指が接触すると、接触点ｆ２は、１ページ目の小口側の部分を表す部分画像に含まれているので、制御部１１は１ページ目を選択し、表示面１０は図６（ａ）に示す画像を表示する。
【００２９】
一方、接触点が小口領域Ｒ２内に無い、と判定した場合（ステップＳ１０２；ＮＯ）、制御部１１は、測定部１４から姿勢情報を取得し（ステップＳ１０４）、姿勢情報に示される加速度が閾値（例えば、９．８ｍ／ｓ2など）以上であるか否かを判断する（ステップＳ１０５）。ここで、加速度とは、加速度センサが測定した各座標軸の加速度であってもよいし、例えばｙ軸に平行な回転軸といった、決められた軸を中心とする回転における加速度であってもよい。すなわち、姿勢を示す姿勢情報に基づいて求められる加速度であればよい。
【００３０】
加速度が閾値以上である、と判断した場合（ステップＳ１０５；ＹＥＳ）、制御部１１は、処理をステップＳ１０３に進める。すなわち、制御部１１は、ユーザの操作に応じたページの選択を行う。ここでは、制御部１１は、文書を構成する複数のページのうち、取得した姿勢情報に示される加速度に応じて予め決められたページを、選択ページとして選択する。
【００３１】
図７は、表示装置１を傾けた状態の一例を示す図である。例えば図７に示す通り、ユーザは所持する表示装置１をｙ軸方向に平行な回転軸を中心に矢印方向に回転させて、表示面１０を傾ける。これにより、表示装置１は、＋ｘ方向の側が−ｘ方向の側よりも低い（−ｚ方向）姿勢となる。ここで、表示装置１の表示面１０における横方向をξ軸方向とし、縦方向をη軸方向とし、この表示面１０が向いている方向を＋ζ方向とする、ξηζ右手系座標空間を用いて説明する。このξηζ右手系座標空間は、表示面１０を基準とした相対的な座標空間であるため、表示装置１の姿勢に関わらず、表示面１０に表示される画像はξ軸およびη軸を含むξη平面上に表される。基本配置にあるとき、ξ軸はｘ軸に、η軸はｙ軸に、ζ軸はｚ軸にそれぞれ合致する。
【００３２】
図８は、上述した加速度が閾値以上であるときに、表示面１０に表示される文書の一例を示す図である。図７に矢印で示した方向に閾値以上の加速度で表示装置１を傾けると、文書の最後のページが選択されるように、予め決められている。したがって、制御部１１は、最後のページである６ページ目を選択ページとして選択し、表示部１３１により、文書を表示面１０に表示する。すなわち、選択ページ領域Ｒ１には、文書を構成する複数のページのうち、６ページ目の内容が表示され、小口領域Ｒ２は全て選択ページ領域Ｒ１の左側に配置されて、この小口領域Ｒ２に、１ページ目から５ページ目までの部分画像がそれぞれ表示される。なお、図７に矢印で示した方向とは逆の方向に閾値以上の加速度で表示装置１を傾けると、文書の最初のページが選択されるように、予め決められていてもよい。
【００３３】
一方、加速度が閾値以上でない、と判断した場合（ステップＳ１０５；ＮＯ）、制御部１１は、姿勢情報に基づいて、表示面１０が、基本配置からｙ軸を中心として時計回りに回転した角度である回転角度を求め、この回転角度が閾値（例えば、１５度など）以上であるか否かを判断する（ステップＳ１０６）。回転角度が閾値以上でない、と判断した場合（ステップＳ１０６；ＮＯ）、制御部１１は、処理をステップＳ１０８に進める。
【００３４】
回転角度が閾値以上である、と判断した場合（ステップＳ１０６；ＹＥＳ）、制御部１１は、求めた回転角度に応じて、部分画像の幅を示す設定値を決定し（ステップＳ１０７）、処理をステップＳ１０８へ進める。
【００３５】
図９は、部分画像の幅が変わる様子を説明するための図である。測定部１４から取得した姿勢情報に示される加速度が閾値未満であり、この姿勢情報に示される回転角度が閾値以上である場合、表示面１０に表示される文書の小口領域Ｒ２は、図９（ａ）の上段に示した形状から、図９（ａ）の下段に示した形状に変わる。このとき、制御部１１は、部分画像の幅を示す設定値を決定するため、小口領域Ｒ２の幅は、ｗａから、ｗａよりも大きいｗｂ（ｗａ＜ｗｂ）に変わる。すなわち、小口領域Ｒ２の幅は拡がる。なお、このとき選択ページ領域Ｒ１と小口領域Ｒ２との境界線であるＬ１は移動しない。
【００３６】
これは、以下に示す視覚効果をユーザに与える。すなわち、文書は、その文書を構成する複数のページが、仮想空間であるξηζ右手系座標空間において、図９（ｂ）に示すように、＋ζ方向に積み上げられているところを−ζ方向に向かって見ているかのように、表示装置１によって表示される。各ページは、ξη平面上に沿っている。
【００３７】
ここで、η軸に平行な回転軸を中心にして、＋ξ方向が下りの方向となるように表示面１０が傾けられると、上述したように、小口領域Ｒ２の幅は拡げられる。すなわち、小口領域Ｒ２の辺のうち、表示面１０が傾けられて低くなった側の辺が対向する辺から離れるように、小口領域Ｒ２の大きさが変化する。このとき、ユーザには、文書を構成する複数のページのうち、最上位に配置された１ページ目のページＰ１が、ξ軸方向に沿って移動せず、２ページ目以降のページＰ２，Ｐ３，…が、下（−ζ方向）に配置されたものほど、＋ξ方向に移動しているように見える。これにより、ユーザは、あたかも２ページ目以降のページが重力の影響を受けて、表示面１０に沿って滑りながら移動しているかのように文書を認識する。
【００３８】
以上、説明したとおり、表示装置１は傾けられた角度に応じて文書の部分画像の幅を変えて表示するので、例えば、見たいページの部分画像が小さいためにそのページが選び難くなっている場合に、ユーザはその部分画像を拡大させるように表示装置１を傾ければよい。特に、マウスやキーボードなどの入力手段ではなく、タッチスクリーンへの接触によってページを選択する表示装置では、ユーザの指の大きさによって操作がしづらくなる場合があるところ、上記の構成によれば、表示装置１を傾けることで操作が容易になる。
【００３９】
また、表示装置１は傾けられたときの加速度が閾値以上であると文書の最初や最後のページを表示するので、ユーザがこれらのページを見たい場合に、ユーザは素早く表示装置１を傾ければよく、表示面１０に接触しなくてよい。
【００４０】
２．変形例
以上が実施形態の説明であるが、この実施形態の内容は以下のように変形し得る。また、以下の変形例を組み合わせてもよい。
２−１．変形例１
上述した実施形態において、制御部１１は、姿勢情報に基づいて、表示面１０のｙ軸を中心とした時計回りの回転角度を求め、求めた回転角度に応じて、部分画像の幅を示す設定値を決定していたが、ｘ軸を中心とした時計回りの回転角度を求めて、上記の設定値を決定してもよいし、これらを組み合わせて上記の設定値を決定してもよい。また、各軸を中心とした反時計回りの回転角度を求めて上記の設定値を決定してもよい。
【００４１】
２−２．変形例２
上述した実施形態において、表示装置１は傾けられたときの加速度が閾値以上であると文書の最初や最後のページを表示していたが、これ以外のページを表示してもよい。例えば、表示装置１の制御部１１は、ユーザの操作に応じて文書中のいずれかのページを指定ページとしてＲＡＭや記憶部１２に記憶しており、傾けられたときの加速度が閾値以上であると、表示装置１はその指定ページを表示してもよい。この場合、指定ページは、仮想的な栞や付箋が付されて他のページと区別して表示されてもよい。
【００４２】
図１０は、この変形例における指定ページの選択処理を説明するための図である。図１０（ａ）に示す文書は、１ページ目が選択ページとして選択されており、４ページ目と５ページ目とにそれぞれ付箋ｔ１，ｔ２が付されているものとして表示されている。ここで、ユーザが、閾値以上の加速度で表示装置１を図７に示す矢印方向に回転させると、制御部１１は、選択ページよりも後のページのうち、付箋が付されている最も前のページを選択ページとして新たに選択する。これにより、表示面１０には、図１０（ｂ）に示す文書が表示される。
【００４３】
なお、ユーザが、閾値以上の加速度で表示装置１を図７に示す矢印方向の反対方向に回転させると、制御部１１は、選択ページよりも前のページのうち、付箋が付されている最も後のページを選択ページとして選択してもよい。
【００４４】
また、加速度と比較する閾値を二段階にして、制御部１１は、加速度が低い方の閾値を超えた場合に付箋が付されているページを選択し、高い方の閾値を超えた場合に最初または最後のページを選択するようにしてもよい。
【００４５】
２−３．変形例３
上述した実施形態において、表示面１０が傾けられると、小口領域Ｒ２の辺のうち、低くなった側の辺が対向する辺から離れるように、小口領域Ｒ２の大きさが変化していたが、小口領域Ｒ２の大きさの変化はこれに限られない。例えば、小口領域Ｒ２の大きさは、小口領域Ｒ２の辺のうち、傾けられて低くなった側の辺に向かって、その辺に対向する辺が近づくように変化してもよい。
【００４６】
図１１は、この変形例において部分画像の幅が変わる様子を説明するための図である。測定部１４から取得した姿勢情報に示される加速度が閾値未満であり、この姿勢情報に示される回転角度が閾値以上である場合、表示面１０に表示される文書の小口領域Ｒ２は、図１１（ａ）の上段に示した形状から、図１１（ａ）の下段に示した形状に変わる。このとき、制御部１１は、部分画像の幅を示す設定値を決定するため、小口領域Ｒ２の幅は、ｗｃから、ｗｃよりも小さいｗｄ（ｗｃ＞ｗｄ）に変わる。すなわち、小口領域Ｒ２の幅は狭まる。このとき選択ページ領域Ｒ１と小口領域Ｒ２との境界線は＋ξ方向に移動するが、小口領域Ｒ２の右辺を通る境界線であるＬ２は移動しない。
【００４７】
これは、以下に示す視覚効果をユーザに与える。すなわち、文書は、その文書を構成する複数のページが、仮想空間であるξηζ右手系座標空間において、図１１（ｂ）に示すように、＋ζ方向に積み上げられているところを−ζ方向に向かって見ているかのように、表示装置１によって表示される。各ページは、ξη平面上に沿っている。ここでは、文書はｎ枚のページで構成されているとする。
【００４８】
ここで、η軸に平行な回転軸を中心にして、＋ξ方向が下りの方向となるように表示面１０が傾けられると、上述したように、小口領域Ｒ２の幅は狭められる。すなわち、小口領域Ｒ２の辺のうち、表示面１０が傾けられて低くなった側の辺に向かって、その辺に対向する辺が近づくように変化する。このとき、ユーザには、文書を構成する複数のページのうち、最下位に配置されたｎページ目のページＰ（ｎ）が、ξ軸方向に沿って移動せず、（ｎ−１）ページ目よりも上のページＰ（ｎ−１），Ｐ（ｎ−２），…が、上（＋ζ方向）に配置されたものほど、＋ξ方向に移動しているように見える。これにより、ユーザは、あたかも（ｎ−１）ページ目よりも上のページが重力の影響を受けて、表示面１０に沿って滑りながら移動しているかのように文書を認識する。
【００４９】
２−４．変形例４
上述した実施形態において、部分画像は、各ページの右側または左側の辺を含む長方形の領域によって表現されていたが、上側または下側の辺を含む長方形の領域によって表現されていてもよい。また、部分画像は、右側または左側の辺を含む長方形の領域と、上側または下側の辺を含む長方形の領域とを組み合わせた差金状の領域によって表現されていてもよい。
【００５０】
図１２は、この変形例における部分画像の形状の一例を示す図である。図１２に示す例では、各ページの右側の辺を含む長方形と上側の辺を含む長方形とを組み合わせた差金状の領域が、それぞれの小口側の部分として表現されている。この場合、変形例１で示した通り、ｙ軸を中心とした回転角度とｘ軸を中心とした回転角度とをそれぞれ求めてこれらを組み合わせて部分画像の幅と高さをそれぞれ示す各設定値を決定してもよい。すなわち、制御部１１によって実現される決定部１１４は、取得部１１１により取得された情報が示す姿勢に応じて、表示部１３１に表示させる各部分画像の大きさを決定すればよい。
【００５１】
具体的に制御部１１は、ｘ軸を中心とした時計回りまたは反時計回りの回転角度を求めて、この回転角度に応じて、部分画像のうち、上側の辺を含む長方形の高さを示す設定値を決定する。そして、制御部１１は、ｙ軸を中心とした時計回りまたは反時計回りの回転角度を求めて、この回転角度に応じて、部分画像のうち、右側の辺を含む長方形の幅を示す設定値を決定すればよい。
【００５２】
２−５．変形例５
上述した実施形態において、小口領域Ｒ２は、文書に含まれる選択ページ以外の各ページにおける小口側の部分を全て表現していたが、小口領域Ｒ２により表現される小口側の部分は、文書に含まれる選択ページ以外のページのうち、一部のページの上記部分であってもよい。
【００５３】
図１３は、この変形例における小口領域Ｒ２の一例を示す図である。図１３に示す小口領域Ｒ２は、選択ページ領域Ｒ１の右側に配置される。以下、各部分画像に設定される幅の合計をｗｇとし、選択ページ領域Ｒ１と小口領域Ｒ２との境界線であるＬ１から、表示面１０の右辺までのξ軸方向に沿った距離をｗｈとする。
【００５４】
図１３に示す通り、表示装置１が傾けられて小口領域Ｒ２が＋ξ方向に拡がる場合、ｗｇがｗｈを上回る場合がある（ｗｇ＞ｗｈ）。このとき、全ての部分画像を＋ξ方向につなげた領域は、表示面１０からはみ出るので、表示装置１の制御部１１は、図１３に示す通り、小口領域Ｒ２を表示面１０で表示される範囲に収める。したがって、この小口領域Ｒ２は、幅がｗｈとなり、文書に含まれる選択ページ以外のページのうち、一部のページにおける小口側の部分を表現する。図１３に示す例では、小口領域Ｒ２に含まれる部分画像は、２ページ目から４ページ目の部分画像となる。
【００５５】
２−６．変形例６
上述した実施形態または変形例において、制御部１１は、表示装置１の姿勢に応じて、表示部１３１に表示させる各部分画像の大きさを決定していたが、これに加えて選択ページ領域Ｒ１の大きさを決定してもよい。
【００５６】
図１４は、この変形例において選択ページ領域Ｒ１の大きさが変わる様子を説明するための図である。図１４（ａ）に示す通り、表示面１０には、高さがｈｅであり幅がｗｅである選択ページ領域Ｒ１に１ページ目の内容が表示され、高さがｈｅであり幅がｗａである小口領域Ｒ２が、選択ページ領域Ｒ１の右側に表示される。ｗｅとｗａの合計はｗである（ｗｅ＋ｗａ＝ｗ）。
【００５７】
ここで、ユーザにより表示装置１が傾けられると、制御部１１は、表示装置１の姿勢に応じて各部分画像の幅（大きさ）を決定する。その結果、図１４（ｂ）に示す通り、小口領域Ｒ２の幅はｗａよりも大きいｗｂに変化する（ｗａ＜ｗｂ）。このとき、制御部１１は、選択ページ領域Ｒ１と小口領域Ｒ２の幅の合計がｗに維持されるように、選択ページ領域Ｒ１の幅を決定する。すなわち、制御部１１は、選択ページ領域Ｒ１の幅をｗｅよりも小さいｗｆに設定する（ｗｅ＞ｗｆ）。その結果、選択ページ領域Ｒ１と小口領域Ｒ２の幅の合計がｗに維持される（ｗｆ＋ｗｂ＝ｗ）。
【００５８】
また、制御部１１は、選択ページ領域Ｒ１のアスペクト比を維持しながら、その大きさを決定してもよい。上述した通り、小口領域Ｒ２の幅をｗａよりも大きいｗｂに変化させ、選択ページ領域Ｒ１の幅をｗｅよりも小さいｗｆに変化させたとき、制御部１１は、選択ページ領域Ｒ１のアスペクト比が維持されるように、選択ページ領域Ｒ１の高さをｈｅからｈｆに変化させる。ここで、選択ページ領域Ｒ１のアスペクト比は変化の前後で維持される（ｈｅ：ｗｅ＝ｈｆ：ｗｆ）。
【００５９】
２−７．変形例７
上述した実施形態において、表示装置１が備える測定部１４は、３軸の加速度センサを含み、表示装置１に定められた座標系の各座標軸に沿った加速度をそれぞれ測定することで、表示装置１が重力方向に対して成す角度を求め、表示装置１の姿勢を示す姿勢情報を出力していたが、加速度センサ以外のセンサを有していてもよい。また、表示装置１は測定部１４を備えていたが、制御部１１が表示装置１の姿勢を示す姿勢情報を取得するのは、測定部１４からに限られない。例えば、表示装置１が配置される空間に表示装置１を監視するカメラなどの撮像装置が設置されており、この撮像装置によって撮像された画像を、例えば通信部１５を介して制御部１１が、表示装置１の姿勢を示す姿勢情報として取得してもよい。また、制御部１１が取得するのは、撮像された画像に限られず、その画像に基づいて外部装置により求められた姿勢情報であってもよい。表示装置１の姿勢を外部から検出する装置は撮像装置に限られず、例えば、超音波や赤外線などを使った装置などであってもよい。要するに、制御部１１が取得する姿勢情報が、例えば、重力方向に対する表示面１０の傾き度合いといった、表示装置１の姿勢を示していればよい。
【００６０】
なお、上述した実施形態において、表示装置１は、表示面１０に表示されている各ページがあたかも重力の影響を受けて、表示面１０に沿って滑りながら移動しているかのように、ユーザに対して文書を認識させていたが、ユーザに対する文書の認識のさせ方はこれに限られない。例えば、表示装置１は、ユーザの目の位置を特定し、特定したその位置から文書中のページが遠ざかるように表示面１０が傾けられると、遠ざかった分だけユーザの目の位置から遠ざかるように移動しているかのように、各ページを認識させてもよい。この場合、表示装置１は、表示面１０の側にカメラなどの撮像装置を有しており、表示面１０を視認するユーザの顔を認識して、そのユーザの目の位置を特定すればよい。つまり、表示装置１は、ユーザとの相対的な位置関係に応じて文書の各ページを移動させるように構成されてもよい。これにより、例えば無重力空間のようにユーザが重力を認識できない空間においても、表示装置１は、自身の姿勢に応じて操作される。
【００６１】
２−８．変形例８
上述した実施形態において、制御部１１は、取得した姿勢情報に示される加速度が閾値以上であると判断した場合に、文書を構成する複数のページのうち、加速度に応じて予め決められたページを選択ページとして選択していたが、加速度に応じてページを選択しなくてもよい。この場合、制御部１１は、姿勢情報に示される加速度を閾値と比較しなくてもよく、姿勢情報から加速度を求めなくてもよい。
【００６２】
２−９．変形例９
表示装置１の制御部１１によって実行される各プログラムは、磁気テープや磁気ディスクなどの磁気記録媒体、光ディスクなどの光記録媒体、光磁気記録媒体、半導体メモリなどの、コンピュータ装置が読み取り可能な記録媒体に記憶された状態で提供し得る。また、このプログラムを、インターネットなどの通信回線を経由してダウンロードさせることも可能である。なお、上記の制御部１１によって例示した制御手段としてはＣＰＵ以外にも種々の装置が適用される場合があり、例えば、専用のプロセッサなどが用いられる。
【符号の説明】
【００６３】
１…表示装置、１０…表示面、１１…制御部、１１１…取得部、１１２…解釈部、１１３…選択部、１１４…決定部、１１５…表示制御部、１２…記憶部、１３…タッチスクリーン部、１３１…表示部、１３２…検出部、１４…測定部、１５…通信部
【図１】
2014013487.tif 000003
【図２】
2014013487.tif 000004
【図３】
2014013487.tif 000005
【図４】
2014013487.tif 000006
【図５】
2014013487.tif 000007
【図６】
2014013487.tif 000008
【図７】
2014013487.tif 000009
【図８】
2014013487.tif 000010
【図９】
2014013487.tif 000011
【図１０】
2014013487.tif 000012
【図１１】
2014013487.tif 000013
【図１２】
2014013487.tif 000014
【図１３】
2014013487.tif 000015
【図１４】
2014013487.tif 000016